(57)【要約】【課題】  本発明は、省スペース化を図りつつ、読取画像の画質の劣化を抑制可能な画像読取装置を提供することを目的とする。【解決手段】  画像読取装置であって、機内の温度上昇に起因する積層レンズ６１の結像位置と固体撮像素子７０の受光面との光軸方向における位置ずれを是正する画像読取ユニット５０を備え、当該画像読取ユニット５０は、異なる線膨張係数を有する基板８０と背面板９０の板状部材を貼着してなる積層部材９１と、積層部材９１を、その主面が光軸とほぼ直交する状態で、当該光軸を挟んで位置する第１と第２の保持位置で、基台５１に対して保持する保持部５１ａとを有し、基板８０と背面板９０の熱膨張係数の大小関係は、積層部材９１が、結像位置と固体撮像素子７０の受光面との温度上昇に伴う光軸方向における位置ずれ量を軽減する方向に反るように決定されている。【選択図】図２
2010130296.tif 000002
【特許請求の範囲】
【請求項１】
原稿面からの反射光を、基台に固定された結像レンズを介して固体撮像素子の受光面で受光して画像データを生成する画像読取装置であって、
機内の温度上昇に起因する結像レンズの結像位置と前記固体撮像素子の受光面との光軸方向における位置ずれを是正する結像位置是正手段を備え、
前記結像位置是正手段は、
異なる線膨張係数を有する第１と第２の板状部材を貼着してなる積層部材と、
前記積層部材を、その主面が前記光軸とほぼ直交する状態で、当該光軸を挟んで存する第１と第２の部位を介して、前記基台に保持する保持手段とを備えると共に、
前記積層部材の前記結像レンズ側の主面に、前記固体撮像素子を、その受光面が前記主面とほぼ平行となる状態で保持してなり、
前記第１と第２の板状部材の熱膨張係数の大小関係は、当該積層部材が、前記結像位置と固体撮像素子の受光面との温度上昇に伴う光軸方向における位置ずれ量を軽減する方向に反るように決定されていることを特徴とする画像読取装置。
【請求項２】
前記固体撮像素子は、回路基板に搭載されており、当該回路基板が前記第１の板状部材であることを特徴とする請求項１に記載の画像読取装置。
【請求項３】
前記第1と第２の部位を結ぶ方向と前記固体撮像素子の長手方向がほぼ一致し、かつ、前記固体撮像素子の長手方向の中心と、前記第1と第２の部位の中央がほぼ一致した状態で、前記固体撮像素子が、前記積層部材に保持されている
ことを特徴とする請求項１または２に記載の画像読取装置。
【請求項４】
前記結像レンズの光軸上に、前記固体撮像素子の長手方向中心が存するように前記積層部材が保持部材により保持されてなることを特徴とする請求項３に記載の画像読取装置。
【発明の詳細な説明】
【技術分野】
【０００１】
本発明は、原稿面からの反射光を結像レンズを介して固定撮像素子の受光面上で受光して画像データを生成する画像読取装置に関する。
【背景技術】
【０００２】
複写機やファクシミリ装置などに用いられる画像読取装置は、露光ランプの光を原稿に照射し、その反射光を結像レンズを介してＣＣＤ（Charge Coupled Device）などの固体撮像素子の受光面で受光して光電変換し、その信号を取り出すことにより、原稿の画像データを生成する構成になっている。
このような構成の画像読取装置では、露光ランプや固体撮像素子から発せられる熱により装置内部の温度が上昇し易い。
【０００３】
装置内部の温度が上昇すると、結像レンズや固体撮像素子を保持する基台の熱膨張により結像レンズと固体撮像素子間の光軸方向の距離が変動したり、熱の影響による結像レンズの屈折率の変化などにより結像レンズの焦点距離が変動したりする。
この変動により、結像レンズによる像の結像位置と固体撮像素子の受光面の位置との間にずれ（以下、「結像位置ずれ」という。）が生じ、このずれ量が読取画像の画質の劣化を招く。
【０００４】
上記温度上昇による結像位置ずれを防止する技術として、特許文献１には、図５に示すように、結像レンズ１００４を基台１００１上に固定すると共に、固体撮像素子１００３をＬ字型の保持部材１００２を介して当該基台１００１上に保持している。当該保持部材１００２のＬ字形状の水平部１００２ａは、結像レンズ１００４と反対方向に延設され、その先端側下面の係合部１００２ｂにおいて基台１００１に結合されている。そのため、温度上昇により基台１００１が膨張して、保持部材１００２との結合位置が図の右方向に変位しても、保持部材１００２の水平部１００２ａが、係合部１００２ｂを起点として図の左方向に伸張し、両者の伸張量が部分的に相殺されて固体撮像素子１００３と結像レンズ１００４間の距離変動が抑えられ、これにより結像位置ずれが軽減されるとしている。
【特許文献１】特開平２００７−１４８０４７号公報
【発明の開示】
【発明が解決しようとする課題】
【０００５】
しかしながら、上記特許文献１の画像読取装置では、基台１００２の熱膨張による光軸方向における変位を相殺するため、水平部１００２ａの光軸方向における長さをある程度大きく取る必要があり、どうしても装置スペースが大きくならざるを得ないという問題がある。
本発明は、上記問題点に鑑みてなされたものであって、省スペース化を図りつつ、読取画像の画質の劣化を抑制可能な画像読取装置を提供することを目的とする。
【課題を解決するための手段】
【０００６】
上記目的を達成するため、本発明に係る画像読取装置は、原稿面からの反射光を、基台に固定された結像レンズを介して固体撮像素子の受光面で受光して画像データを生成する画像読取装置であって、機内の温度上昇に起因する結像レンズの結像位置と前記固体撮像素子の受光面との光軸方向における位置ずれを是正する結像位置是正手段を備え、前記結像位置是正手段は、異なる線膨張係数を有する第１と第２の板状部材を貼着してなる積層部材と、前記積層部材を、その主面が前記光軸とほぼ直交する状態で、当該光軸を挟んで存する第１と第２の部位を介して、前記基台に保持する保持手段とを備えると共に、前記積層部材の前記結像レンズ側の主面に、前記固体撮像素子を、その受光面が前記主面とほぼ平行となる状態で保持してなり、前記第１と第２の板状部材の熱膨張係数の大小関係は、当該積層部材が、前記結像位置と固体撮像素子の受光面との温度上昇に伴う光軸方向における位置ずれ量を軽減する方向に反るように決定されていることを特徴とする。
【発明の効果】
【０００７】
上記構成により、積層部材が、前記結像位置と固体撮像素子の受光面との温度上昇に伴う光軸方向における結像位置のずれ量を軽減する方向に反るため、結像レンズの結像位置が、固体撮像素子の受光面からのずれ量が軽減され、読取画像の画質の劣化を抑制することができる。
しかも、積層部材は、光軸とほぼ直交して配されるため、光軸方向にスペースを取らず、積層部材における第１と第２の板状部材の線膨張係数を適当に決定することにより、温度上昇に伴う反り量を十分確保して結像位置のずれ量を抑制することができる。
【０００８】
また、前記固体撮像素子は、回路基板に搭載されており、当該回路基板が前記第１の板状部材であることが望ましい。
固体撮像素子は、通常、回路基板に実装されているため、第１の板状部材を別途設ける必要がなく、コストを小さく抑えることができる。
また、前記第1と第２の部位を結ぶ方向と前記固体撮像素子の長手方向がほぼ一致し、かつ、前記固体撮像素子の長手方向の中心と、前記第1と第２の部位の中央がほぼ一致した状態で、前記固体撮像素子が、前記積層部材に保持されていることが望ましく、また、前記結像レンズの光軸上に、前記固体撮像素子の長手方向中心が存するように前記積層部材が保持部材により保持されてなることが望ましい。
【０００９】
これにより、積層部材は、ほぼ光軸を中心として、対称的に変形するので、固体撮像素子は、積層部材に反りが生じても、光軸に対して略直交する状態を維持したまま変位することができる。
【発明を実施するための最良の形態】
【００１０】
以下、本発明に係る画像読取装置の実施の形態を、ミラースキャン方式の画像読取装置に適用した場合を例にして説明する。
このミラースキャン方式は、原稿面から結像レンズに至る光路長を一定に維持したまま、光源や複数のミラーを移動させて原稿を読み取る方式である。
図１は、画像読取装置８の概略構成を示す図である。
【００１１】
同図に示すように、画像読取装置８は、原稿押さえ板１１と画像読取部１２から成る。
原稿押さえ板１１は、画像読取部１２の機枠上に載置された原稿を上方から押さえるためのものであって、画像読取部１２の上部に開閉可能な状態で軸支されている。
画像読取部１２は、上面にプラテンガラス３１が嵌め込まれた箱状の機枠３２内に、ミラーユニット３８と、折り返しミラーユニット４３と、駆動モータＭと、画像読取ユニット５０と、これらを制御する制御部４７などを収納してなる。
【００１２】
ミラーユニット３８は、ランプ４０とミラー４２からなり、また、折り返しミラーユニット４３は、折り返しミラー４４および折り返しミラー４６からなる。
プラテンガラス３１上に載置された原稿は、当該プラテンガラス３１を通してランプ４０により照射され、その反射光は、ミラー４２により水平方向に反射され、更に折り返しミラー４４および折り返しミラー４６で反射されて画像読取ユニット５０へと入光する。
【００１３】
原稿読み取りを実行する場合には、ミラーユニット３８を、モータＭと図示しない駆動機構により同図の矢印Ａの方向に移動させて、当該原稿画像をスキャンする。
この際、折り返しミラーユニット４３が上記ミラーユニット３８と同方向に、その移動速度の二分の一で移動するようになっており、これにより、原稿面から画像読取ユニット５０内のレンズユニット６０までの光路長が一定に保たれた状態で、原稿からの反射光を画像読取ユニット５０内の固体撮像素子７０の受光面で結像させることができる。
【００１４】
なお、スキャナの駆動機構としては、例えば、矢印Ａ方向と平行に配設された２本もしくはそれ以上の本数のレールに、スキャナを摺動可能に保持させると共に、プーリに張架されたワイヤーの一部にスキャナを連結し、当該ワイヤーをスキャナモータＭにより駆動する公知の駆動機構が使用される。
固体撮像素子７０に入射した原稿からの反射光は、電気信号に変換され、制御部４７においてＡ／Ｄ変換されて多値のデジタル信号となり、更にシェーディング補正や濃度変換、エッジ強調などの処理が加えられた後、不図示の画像メモリに格納される。
【００１５】
制御部４７は、主な構成要素として、ＣＰＵ、信号処理部、画像メモリ、ＲＯＭ、ＲＡＭ、通信インターフェース等を備え、固体撮像素子７０で読み取った画像データに対し、Ａ／Ｄ変換等の処理を行い、当該画像データを外部機器に送信する。
（画像読取ユニット５０の構成）
図２（ａ）は、環境温度がほぼ室温ｔ０（約２５℃）となっているときの画像読取ユニット５０の構成を示す横断面図であり、図２（ｂ）は、その水平断面図である。
【００１６】
同図２（ａ）に示すように、画像読取ユニット５０は、基台５１と、レンズユニット６０と、イメージセンサユニット６９と、これらを覆う遮光カバー９７などからなる。
遮光カバー９７は、遮光性を有する樹脂または金属などからなり、側面に開口部９７ａを有している。
レンズユニット６０は、複数枚のレンズが光軸方向に積層された積層レンズ６１をレンズホルダ６２で固定してなる。
【００１７】
レンズホルダ６２は、台座６２ａの上面に接着剤などで固着され、台座６２ａは、図２（b）に示すように、その光軸方向（Ｘ方向）のほぼ中央であって、レンズホルダ６２を挟んだ位置においてねじ６８により基台５１上に固定されている。
基台５１は、例えば、金属や樹脂などの板体であって、平面視においてＴ字状になっている（図２（ｂ））。
【００１８】
イメージセンサユニット６９は、固体撮像素子７０と、これを実装する基板８０と、その背面に接着剤を介して接合された背面板９０からなる。
基板８０は、固体撮像素子７０やメモリなどの電子部品を実装する矩形のプリント基板である。
固体撮像素子７０は、例えば、ＣＣＤなどの光電変換素子がライン状に配されたラインセンサであり、その受光面が基板８０の主面と平行であって、かつ、両者の長手方向が一致するような状態で、リードピン７１が基板８０にハンダ付けされて保持される。
【００１９】
その他の必要な電子部品を基板８０に搭載してハンダ付けして回路基板を完成した後、その裏面に絶縁性の樹脂系接着剤（例えば、アクリル系接着剤）を塗布して背面板９０を貼り合わせる（以下、基板８０と背面板９０とが貼着されたものを「積層部材９１」という。）。
この積層部材９１は、図２（ｂ）に示すように、Ｙ軸方向に平行で、かつ、基板８０に実装した固体撮像素子７０の長手方向の中心が、光軸Ｌとほぼ一致するような状態で、基台５１に光軸Ｌを挟んでほぼ対称的な位置に立設された一対の保持部材５１ａに、ねじ９５により固定される。
【００２０】
画像読取装置８の環境温度が上昇すると、基台５１では、レンズユニット６０を固定するねじ６８から保持部５１ａまでのＸ軸方向における距離Ｌ１（図２）が熱膨張によりＬ２（図３（ａ）参照）に変化する。
さらに、レンズユニット６０では、各レンズの屈折率が温度変化に伴って変化するのに加え、これらのレンズを保持しているレンズホルダ６２も熱膨張により、寸法が変化するために、レンズユニット６０の焦点距離が変化する。
【００２１】
このため、組立時（室温）において、固体撮像素子７０の受光面上に結像されるように設定しても、温度が変化すると、結像位置が固体撮像素子７０の受光面からずれて結像位置ずれが発生する。
背面板９０は、このような結像位置ずれを軽減するために、設けられたものであり、次のような要件を満たしている。
【００２２】
（背面板９０の線膨張係数について）
温度上昇に伴って、レンズユニット６０の焦点距離が変化してその結像位置が光軸方向にΔｆだけ移動する場合において、レンズユニット６０を固定するねじ６８から保持部５１ａまでの光軸方向の距離Ｌの変化ΔＬ（＝Ｌ２―Ｌ１）とし(いずれもＸ方向への変化量を正とする。）、Δｆ―ΔＬ＝Δｄとすると、このΔｄの値が、実際の結像位置ずれ量に相当する。
【００２３】
当該Δｄの正負は、レンズの材料やその組み合わせ方、ブラケット６２の材料、基台５１の材料、光軸方向の距離Ｌ１などの各条件により、機種ごとに決まってくる。
（１）Δｄ＜０となる場合  
Δｄ＜０となる機種においては、結像位置は、固体撮像素子７０の受光面の手前に来るので、固体撮像素子７０の位置をレンズユニット６０方向（Ｘ’方向）に変位させる必要がある。
【００２４】
この場合には、背面板９０の線膨張係数が基板８０の線膨張係数よりも小さくなるように設定する。
これにより基板８０の熱膨張量が背面板９０の熱膨張量よりも大きくなり、図３（ｂ）に示すように積層部材９１がＸ’方向に膨出するように反り、固体撮像素子７０をΔＳだけ変位させるので、その分結像位置ずれが是正されることになる。
【００２５】
この際、基板８０と背面板９０は固着後も所定の弾力性を有する接着剤で貼り合わされているので、相互の貼着面で発生する微小なずれを吸収することができ、接着層が剥離するようなことがない。また、背面板９０があまり薄いと基板８０の伸びに追随して伸張してしまい反り量が低減するので、ある程度の厚みとヤング率を有することが必要である。それらの具体的な範囲は後述の条件式を満たすように当業者であれば容易に決定できるものである。
【００２６】
上記ΔＳとΔｄのそれぞれの絶対値が全温度範囲で等しくなることが理想的である。しかし、両者の絶対値は温度上昇と共に単調増加の傾向にあることが経験的に知られているものの、それぞれの変化率が異なるので、常に等しくすることは難しい。
画像読取装置は組立時の室温（２０℃とする）において、Δｄ＝０となるように調整されており、画像読取装置内の温度は最高６０℃程度まで上昇するので、通常の使用環境下では、２０℃〜６０℃の温度範囲において、Δｄが許容範囲Ａ内になるように設定すればよい。
【００２７】
すなわち、  −Ａ≦｜Δｄ｜−｜ΔＳ｜≦Ａ  ・・・（式Ｃ）
を満たすような反り量ΔＳが得られるようにすればよい。
このＡの値は、例えば、２５μｍ程度に設定される。この程度であれば画質の劣化をほとんど視認することはできないからである。
上述したように、温度上昇に伴う、積層部材９１の反り方向は、基板８０と背面板９０の線膨張係数の差によって決まる。
【００２８】
また、反り量ΔＳは、この線膨張係数の差によっても多少依存するが、基板８０と背面板９０の長手方向の伸び量の差と一定の相関関係にあるから、その両端の保持位置間のピッチＰ１（図２（ｂ）参照）に主に依存する。
したがって、機内温度が２０℃〜６０℃の温度範囲において、上記条件式Ｃを満たすように背面板９０の線膨張係数およびピッチＰ１が予め実験やシミュレーションによって求められる。
【００２９】
この際、背面板９０の材料としては、例えば、グラスファイバなどのフィラーが充填されたポリカーボネートを使用すれば、当該フィラーの混合量を変更することにより線膨張係数を容易に調整できる。
また、上記条件式Ｃを満たすのであれば、背面板９０の材料が金属であっても構わない。
【００３０】
仮に、上記温度範囲の全てにおいて、条件式Ｃを満たすことができなくても、少なくとも従来よりは結像位置ずれ量Δｄの値を小さくできるので、その分だけ画質の劣化を抑えられる。
なお、通常、画像読取装置は室内で使用されるので、室温（２０℃）よりも低い使用環境で使用されたとしてもせいぜい１０℃程度であり、この程度の低下では、結像位置ずれ量を是正するまでもなく十分許容範囲内であるが、本実施の形態では、室温より低くなってΔｄが正に転じても、基板８０の収縮量が背面板９０の収縮量よりも大きくなり、積層部材９１も正の方向（Ｘ方向）に反ろうとするので、やはりΔｄを相殺するように作用し、画質を良好に維持できる。
【００３１】
また、積層部材９１が反る際に、固体撮像素子７０が、Ｙ軸に対して傾くことも考えられるが、実際には結像位置ずれ量Δｄは最大でも数十ミクロン程度であり、反り量ΔＳもその程度である。加えて本実施の形態の画像読取ユニット５０では、上述したように、イメージセンサユニット６９がＹ軸方向において略対称形状となっており、積層部材９１を対称位置で保持しているので、積層部材９１がＹ軸方向において対称的に変形するため、仮に積層部材９１の反りに伴って固体撮像素子７０に傾きが生じたとしても極めて微小であり、画質に与える影響はほとんどない。
【００３２】
しかも、リードピン７１は、固体撮像素子７０の長手方向の中心に対してほぼ対称的な位置に設けられていると共に、金属なので多少弾性を有しており、積層部材９１に反りが生じた場合には、変形しつつ固体撮像素子７０を保持し、また、積層部材９１が反った状態から真っ直ぐな状態に戻ると、形状が元の状態へと復帰するので、より傾きが生じにくい。
（２）Δｄ＞０の場合
Δｄ＞０となる機種においては、結像位置は、固体撮像素子７０の受光面の位置を超えてしまうので、固体撮像素子７０の位置をレンズユニット６０と反対方向（Ｘ方向）に変位させる必要がある。
【００３３】
この場合には、背面板９０の線膨張係数が基板８０の線膨張係数よりも大きくなるように設定する。
これにより背面板９０の熱膨張量が基板８０の熱膨張量よりも大きくなり、図４（ｂ）に示すように積層部材９１がＸ方向に膨出するように反り、結像位置ずれが是正される方向に固体撮像素子７０が移動する。
【００３４】
この場合でも、上記条件式Ｃを満たすことが望ましいのはいうまでもなく、背面板９０の線膨張係数のみならず、必要であればピッチＰ１の大きさも適宜調整することにより達成することが可能である。
以上のように、本実施の形態における画像読取ユニット５０では、積層部材９１を構成する基板８０と背面板９０の熱膨張係数の大小関係が、結像位置ずれ量、すなわち、結像位置と固体撮像素子の受光面との温度上昇に伴う光軸方向における位置ずれ量を軽減する方向に積層部材９１が反るように決定されているので、環境温度が上昇し、結像位置ずれが生じても所定の範囲に収めることができる。
【００３５】
しかも、積層部材９１は、レンズユニット６０の光軸と直交する方向に配されており、もともと余裕があるスペースに設けることができるため、装置規模が拡大することがなく、省スペース化に資する。
＜変形例＞
本発明は上述のような実施の形態に限られるものではなく、次のような変形例も実施することができる。
（１）上記実施の形態では、積層部材９１を直接ねじ９５で締め付けているが、このような場合、積層部材９１に反りが繰り返し生じることによって、ねじ９５にＸ軸方向の応力変動が生じ、緩み易くなるため、スプリングワッシャなどの弾性部材を介して締め付けてもよい。
【００３６】
また、このような弾性部材を介することによって、積層部材９１の両端部の変形も容易になるため、単位温度変化あたりの固体撮像素子７０の反り量ΔＳも大きくすることができる。
（２）また、上記実施の形態では、積層部材９１即ち、基板８０と背面板９０とを貼り付けたものの両端部を保持していたが、この構成に限るものではない。
【００３７】
つまり、基板８０及び背面板９０のうちの一方を短くして、他方の両端部のみをねじ止めした構成であっても構わない。
（３）さらに、上記実施の形態では、積層部材９１の保持にねじ９５を用いていたが、これに限る必要はなく、例えば、積層部材９１のＹ軸方向の両端部を嵌め込んで固定するよう爪状の部材を保持部５１ａに設けてもよい。
（４）上記実施の形態では、背面板９０が基板８０の裏面に貼着されているため、基板８０の裏面は、できるだけ平坦にすることが望ましい。
【００３８】
しかし、現実的には、基板８０の裏面は、リードピンの端部やハンダなどが突出していることも考えられ、このような場合、背面板９０を基板８０の突出部分と対応する位置を切欠いたり、孔を設けたりしてもよいであろう。
さらに、上記切欠きや孔をＹ軸方向の中心を基準として対称的に設けることにより、反りが当該中心に対して対称的に生じ易くすることが望ましい。
（５）また、本実施の形態では、固体撮像素子７０を保持するための保持部５１ａは、基台５１に直接立設されているが、別部材を介して間接的に基台５１に保持されるようにしても構わない。
（６）また、上記実施の形態では、ミラースキャン方式の画像読取装置８について説明したが、これに限らず、例えば、光源や、レンズや折り返しミラーなどの光学エレメント、及び固体撮像素子を１つの筺体内に収納してユニット化し、これを移動させて原稿を読み取る公知のユニットスキャン方式の画像読取装置に適用してもよい。
（７）さらに、上記実施の形態では、原稿をプラテンガラス上に置き、折り返しミラーを移動させつつ、画像を読み取る移動光学系の画像読取装置について説明したが、この構成に限るものではない。
【００３９】
例えば、原稿押さえ板の代わりに、プラテンガラス上の特定の領域を通過させつつ、原稿を順次搬送する自動原稿搬送装置を設け、光源や折り返しミラーなどを移動させないで、上記特定の領域を通過する画像を読み取る、いわゆるシートスルー方式のものであってもかまわない。
（８）また、上記実施の形態では、固体撮像素子７０は、ＣＣＤセンサであるとしたが、これに限らず、例えば、ＣＭＯＳセンサなどの他の固体撮像素子を用いても構わない。
（９）ここで、上記実施の形態と上記変形例は、可能な限り組み合わせて実施することができることはいうまでもない。
（１０）さらに、上記実施の形態においては、本発明を、画像読取装置について説明したが、このような画像読取装置とプリンタが組み合わされてなる複写機などの画像形成装置においても、無論、適用が可能である。
【産業上の利用可能性】
【００４０】
本発明は、機内温度が上昇しても読取画像の劣化が生じない画像読取装置として好適である。
【図面の簡単な説明】
【００４１】
【図１】本発明の実施の形態に係る画像読取装置の概略構成を示す図である。
【図２】（ａ）は、温度上昇に伴ってレンズユニットの結像位置が当該レンズユニット側にずれる特性に対応した、本発明の実施の形態に係る画像読取ユニットの室温時の状態を示す横断面図であり、（ｂ）は、その水平断面図である。
【図３】（ａ）は、温度上昇に伴ってレンズユニットの結像位置が当該レンズユニット側にずれる特性に対応した、本発明の実施の形態に係る画像読取ユニットの高温時の状態を示す横断面図であり、（ｂ）は、その水平断面図である。
【図４】（ａ）は、温度上昇に伴ってレンズユニットの結像位置が当該レンズユニットから遠ざかる特性に対応した、本発明の実施の形態に係る画像読取ユニットの高温時の状態を示す横断面図であり、（ｂ）は、その水平断面図である。
【図５】従来の画像読取ユニットの概略構成を示す図である。
【符号の説明】
【００４２】
８    画像読取装置
１１    原稿押さえ板
１２    画像読取部
３１    プラテンガラス
３２    機枠
３８, ４３  ミラーユニット
４０    ランプ
４２,４４,４６    ミラー
４７    制御部
５０    画像読取ユニット
５１    基台
５１ａ  保持部
６０    レンズユニット
６１    積層レンズ
６２    レンズホルダ
６９    イメージセンサユニット
７０    固体撮像素子
７１    リードピン
８０    基板
９０    背面板
９１    積層部材
９７ａ  開口部
９７    遮光カバー
２０６ａ  座部
【図１】
2010130296.tif 000003
【図２】
2010130296.tif 000004
【図３】
2010130296.tif 000005
【図４】
2010130296.tif 000006
【図５】
2010130296.tif 000007